(57)【要約】【課題】使用者の指先を所望の長さで露出させることが出来、必要な指の指先のみを露出させることができる手袋とその使用方法を提供する。【解決手段】生地糸を編み上げて手首部２０、掌部１６、甲部１４、及び複数の指部１８が形成された手袋本体１２を有する。複数の指部１８の途中に、手袋本体１２から先端側を切り離し可能にした切断可能部２４を備える。切断可能部２４は、１本の指に複数箇所に形成されているものである。切断可能部２４は、手袋本体１２の編み組織の編み糸の本数を、指部１８の周囲に環状に減らした部分である。【選択図】図１
2019007105.tif 000002
【特許請求の範囲】
【請求項１】
生地糸を編み上げて手首部、掌部、甲部、及び複数の指部が形成された手袋本体を有し、前記複数の指部の途中に、前記手袋本体から先端側を切り離し可能にした切断可能部を備えたことを特徴とする手袋。
【請求項２】
前記切断可能部は、１本の指の複数箇所に形成されている請求項１記載の手袋。
【請求項３】
前記切断可能部は、前記手袋本体の編み組織の編み糸の本数を、前記指部の周囲に環状に減らした部分である請求項２記載の手袋。
【請求項４】
前記手袋本体の前記掌部には、滑り止め材が設けられている請求項１、２または３記載の手袋。
【請求項５】
生地糸を編み上げて手首部、掌部、甲部、及び複数の指部が形成された手袋本体を有し、前記複数の指部の途中に、前記手袋本体から先端側を切り離し可能にした切断可能部を備え、使用時に前記切断可能部で必要な長さに指先部を切除して使用することを特徴とする手袋の使用方法。
【発明の詳細な説明】
【技術分野】
【０００１】
この発明は、作業時の手の保護や、防寒機能等を有した手袋とその使用方法に関する。
【背景技術】
【０００２】
従来、例えば特許文献１に開示されているように、小銭などを扱う時に手袋の親指用指袋及び、人差指指袋の先端より先を出すことが出来、手袋をしたままで指先を露出させて、細かい作業を簡単に行うことが出来るようにした手袋があった。この手袋は、甲の側親指用指袋と人差し指用指袋になる先端に、指先が収まる指袋を有し、その指袋の縁に縁取りを設け、指袋の付け根部分に布地を取り付け手袋の本体に縫い付けたものである。
【先行技術文献】
【特許文献】
【０００３】
【特許文献１】特開２００２−３０９４２０号公報
【発明の概要】
【発明が解決しようとする課題】
【０００４】
特許文献１の手袋は、指先を覆う指袋を指先から着脱できるものであるが、指袋が不要な用途の場合、作業中に指袋が邪魔になるものであった。さらに、作業の種類により、露出させる指や指の長さが異なり、一律の長さで指先が露出させる構造の場合、作業性が落ちたり、不要な部分の指を露出させることによる弊害もある。
【０００５】
この発明は、上記背景技術に鑑みて成されたものであり、使用者の指先を所望の長さで露出させることが出来、必要な指の指先のみを露出させることができる手袋とその使用方法を提供することを目的とする。
【課題を解決するための手段】
【０００６】
本発明は、生地糸を編み上げて手首部、掌部、甲部、及び複数の指部が形成された手袋本体を有し、前記複数の指部の途中に、前記手袋本体から先端側を切り離し可能にした切断可能部を備えた手袋である。前記切断可能部は、１本の指の複数箇所に形成されているものである。
【０００７】
前記切断可能部は、前記手袋本体の編み組織の編み糸の本数を、前記指部の周囲に細い環状に減らした部分である。
【０００８】
前記手袋本体の前記掌部には、滑り止め材が設けられている。特に掌部から指先まで前記滑り止め材が設けられていると良い。
【０００９】
また、本発明は、生地糸を編み上げて手首部、掌部、甲部、及び複数の指部が形成された手袋本体を有し、前記複数の指部の途中に、前記手袋本体から先端側を切り離し可能にした切断可能部を備え、使用時に前記切断可能部で必要な長さに指先部を切除して使用する手袋の使用方法である。
【発明の効果】
【００１０】
本発明の手袋とその使用方法によれば、使用者の指先を所望の長さで露出させることが出来、必要な指の指先のみを露出させて作業を行うことが出来るので、作業性が良く、手の保護や防寒等に対しても効果的に機能するものである。さらに、使用時にも、切除する部分は容易に手でちぎることが出来、必要に応じて作業者が任意に手袋形態を設定することが出来る。
【図面の簡単な説明】
【００１１】
【図１】この発明の手袋の掌部側の一実施形態を示す正面図である。
【図２】この実施形態の手袋の甲部側である背面図である。
【図３】この実施形態の手袋の指先をちぎった状態を示す正面図である。
【発明を実施するための形態】
【００１２】
以下、この発明の手袋の一実施形態について、図面に基づいて説明する。この実施形態の手袋１０は、ナイロン、ポリエステル、綿、ウール、アクリル等の生地糸を５本指の手袋状に編み上げた手袋本体１２から成る。図１では右手用の手袋１０のみを示しているが、一対に使用される左手用の手袋１０も、対称な形状で同様の構成である。
【００１３】
図１に示すように、手袋本体１２は、甲部１４と掌部１６とが筒状に形成され、筒状の一端部に、親指、人差指、中指、薬指、小指に対応する５個の指部１８が形成され、筒状の他端部に、やや狭くなって筒状に開口する手首部２０が設けられている。手首部２０は、伸縮性が高い編み方で、手首にフィットするように作られている。
【００１４】
手袋本体１２は、図１、図２に示すように、掌部１６及び掌部１６側の指部１８、及び甲部１４の周縁部に、滑り止め材２２が塗着されている。滑り止め材２２は、適宜の部位に塗布して形成すれば良いが、この実施形態では、主に掌部１６と指部１８に設けられている。
【００１５】
ここで、各滑り止め材２２は、ポリ塩化ビニル、天然ゴム、ニトリルゴム、シリコーン樹脂、アクリル樹脂又はウレタン樹脂など、摩擦係数が大きく適度な柔軟性を備えた材料が選択されている。また、滑り止め材２２は、デザイン性や機能性を考慮して、部位により異なる色や形状、材料にしてもよい。
【００１６】
手袋本体１２の指部１８には、５本の指部１８のそれぞれに、指部１８の指の途中の２箇所、例えば第一関節と第二関節の位置付近に、手袋本体１２から先端側を切り離し可能にした切断可能部２４が形成されている。切断可能部２４は、手袋本体１２の編み糸を減らした領域を環状に形成して、切断可能部２４が切断容易な領域となるようにしたものである。切断可能部２４の切断に要する力は、人の力で容易に分離可能な程度に形成されている。
【００１７】
次に、手袋１０の使用方法の一例について説明する。作業者は、使用時に必要な指先を選択し、さらに、露出させる指先の長さを決め、指部１８の切断可能部２４より指先側を保持して、指先部１８ａを引きちぎる。このとき、指の第２関節側で切断する場合、指先側の切断可能部２４よりも指の基端側を保持して指先部１８ａを引きちぎる。これにより、必要な指の指先を必要な長さで露出可能とした状態にすることができる。この後、その手袋１０を手に装着して作業を行う。
【００１８】
以上説明したように、この実施形態の手袋１０は、作業を行う手袋１０の指先部１８ａを所望の長さで切除して、作業者の指先を露出可能とし、必要な指の指先のみを露出させて作業を行うことが出来る。従って、作業性が良く、手の保護や防寒等も効果的に機能するものである。さらに、作業に際して、切除する部分は容易に手でちぎることが出来、必要に応じて作業者が任意に手袋形態を設定することが出来、極めて好都合である。
【００１９】
なお、この発明の手袋は、上記実施形態に限定されるものではない。例えば、手袋１０の滑り止め材２２は、適宜設ければ良く、なくてもよい。また、切断可能部２４の位置や数も任意に設定可能なものであり、切断可能部２４の形態も、編み糸の本数を減らす構成も、適宜穴を空けて編み糸の本数を減らしたり、編み組織を変えたものでも良い。
【符号の説明】
【００２０】
１０  手袋
１２  手袋本体
１４  甲部
１６  掌部
１８  指部
１８ａ  指先部
２０  手首部
２２  滑り止め材
２４  切断可能部
【図１】
2019007105.tif 000003
【図２】
2019007105.tif 000004
【図３】
2019007105.tif 000005